(57)【要約】【課題】仮眠の際にユーザーの頭部を支える仮眠用枕を提供する。【解決手段】２個の本体と、コネクターと、ファスナーとを備える。各本体は、内側表面と、外側表面と、遠位端と、近接端と、内部空間とを有する。前記コネクターは両本体の近接端同士を結合する。ファスナーは両本体の遠位端に設けられ、遠位端同士を選択的に結びつける。【選択図】  図１
0003126271.tif 000002
【実用新案登録請求の範囲】
【請求項１】
２個の本体と、コネクターと、ファスナーとを含む枕であって、前記本体のそれぞれは内側表面と外側表面と遠位端と近接端と前記本体内に形成された内部空間とを有し、
前記コネクターは両本体の遠位端同士を結合し、
前記ファスナーは前記本体の遠位端に取り付けられた、両本体の遠位端同士を選択的に結びつけ、また前記ファスナーは一方の本体の外側表面から伸びるストラップであって内側表面と第１のバックルと第２のバックルとを備えるストラップを有し、前記第１バックルは前記本体の一方の内側表面に取り付けられ、前記第２バックルは前記本体の他方の外側表面に取り付けられかつ前記第１バックルに取り外し可能に取り付けられている、枕。
【請求項２】
各本体は前記遠位端に取り付けられたジッパーを含む、請求項１に記載の枕。
【請求項３】
少なくとも一方の本体は、前記内側表面に規定され内部空間に連通する通風装置を有する、請求項１に記載の枕。
【考案の詳細な説明】
【技術分野】
【０００１】
本考案は枕、特に仮眠の間ユーザーの頭部を支える枕に関する。
【背景技術】
【０００２】
図９及び１０を参照するに、従来の枕５０は柔らかい材料の本体５１と貫通孔５２とを含む。貫通孔５２は枕５０を貫いて形成されている。ユーザーは本体５１上に頭部を載せ、貫通孔５２に腕を通すことができる。それ故、ユーザーが仮眠をするときは、本体５１が柔らかい方がユーザーにとって快適である。
【０００３】
しかるに、貫通孔５２の大きさは変化せず、大きい腕、特に子供の腕より厚みのある大人の腕は、貫通孔５２に容易には通らない。さらに、貫通孔５２は清掃しにくい。
【考案の開示】
【考案が解決しようとする課題】
【０００４】
本考案の目的は、仮眠の間ユーザーの頭部を支える枕を提供することである。
【課題を解決するための手段】
【０００５】
本考案の上記目的を達成するため、本考案に係る枕は、２個の本体と、コネクターと、ファスナーとを備える。各本体は、内側表面と、外側表面と、遠位端と、近接端と、内部空間とを有する。前記コネクターは両本体の近接端同士を結合する。ファスナーは両本体の遠位端に設けられ、遠位端同士を選択的に結びつける。仮眠をする際、ユーザーは本体を自分の腕にファスナーで取り付け、頭部をその本体で支えることができる。
【０００６】
本考案の他の目的、利点及び新規な特徴は、添付の図面を参照してする下記の説明から一層明らかになろう。
【考案を実施するための最良の形態】
【０００７】
図１〜８を参照するに、本考案に係る枕１０は、２個の本体１１と、コネクター１２、１２’と、ファスナーとを含む。
【０００８】
各本体１１は、内側表面と、外側表面と、遠位端と、近接端と、内部空間３０と、ジッパー１６とを含み、膨張可能である。本体の少なくとも一方は、プラグ付き通風装置１９を含む。内部空間３０はその本体１１の中に規定されている。本考案に係る枕１０の第１の実施例によれば、ジッパー１６は、遠位端に取り付けられ、内部空間３０には、木綿または他の塑性材料が充填されている。本考案に係る枕１０の第２の実施例によれば、プラグ付き通風装置１９は前記内側表面に形成され、内部空間３０に連通し、また、内部空間３０には空気を充填することができる。ユーザーは、膨張された本体１１に頭部を支えるように、本体１１の内部空間３０にポンプで空気を入れることができる。
【０００９】
コネクター１２、１２’は、両本体１１の遠位端同士を結合する。本考案に係る枕１０の第３及び第４実施例において、コネクター１２’はベルトである。さらに、本考案に係る枕１０の第３実施例において、コネクター１２’は通気管１２１’を含む。通気管１２１’は、両本体１１の遠位端に伸び、両本体１１の内部空間３０に連通する貫通孔３１を形成している。
【００１０】
ファスナーは両本体の遠位端に取り付けられ、遠位端同士を選択的に固定している。本考案に係る枕１０の第１及び第４実施例においては、ファスナーはストラップ１３と、第１及び第２のバックル１４、１５とを含む。ストラップ１３は、一方の本体１１の外側表面から伸び、内側表面と遠位端とを含む。第１のバックル１４は、ストラップ１３の遠位端に隣接する内側表面に形成されている。第２のバックル１５は、他方の本体の外側表面に形成され、第１バックル１４に取り外し可能に取り付けられている。本考案に係る枕１０の第５実施例においては、ファスナーはストラップ１３とボタン１８とを含む。ストラップ１３は、一方の本体１１の外側表面から伸び、内側表面と、遠位端と、貫通孔１７とを含む。貫通孔１７は、遠位端に隣接するストラップ１３に形成されている。ボタン１８は、他方の本体１１の内側表面に取り付けられ、ボタン１８がストラップ１３の貫通孔１７に係合するように、ストラップ１３の貫通孔１７に対応している。本考案の枕１０の第２及び第３実施例においては、ファスナーは、遠位端に近接する両本体１１の内側表面にそれぞれ取り付けられた複数の雌雄バックル２０、２１である。雄バックル２０は、雌バックル２１と取り外し可能に係合するように対応している。
【００１１】
図４を参照するに、ユーザーは、両本体１１を開いてから、一方の本体１１の上に腕６０を載せ、コネクター１２を折ることによって他方の本体１１を腕６０の上に置くことができる。すると、ストラップ１３上のバックル１４が本体１１のバックル１５に結合するため、本体１１が腕６０のまわりに取り付けられる。仮眠をする際、ユーザーは頭部を本体１１の上に載せることができる。
【００１２】
両本体１１がファスナーによってユーザーの腕を締めることができるため、枕１０は様々な大きさの腕に適合し、多様に使用できる。さらに、枕１０は、両本体１１の内側表面を露出するように開くことができるので、枕１０の清掃がユーザーにとって便利である。
【産業上の利用可能性】
【００１３】
本考案は、上記実施例に限定されず、その趣旨を逸脱しない限り、種々に変更することができる。
【図面の簡単な説明】
【００１４】
【図１】本考案に係る枕の第１実施例を示した斜視図。
【図２】図１の枕の開いた状態を示した斜視図。
【図３】図１の枕の折られた状態を示した斜視図。
【図４】ユーザーの腕に取り付けられた、図１の枕の使用状態を示した斜視図。
【図５】本考案に係る枕の第２実施例を示した頂面図。
【図６】本考案に係る枕の第３実施例を示した頂面図。
【図７】本考案に係る枕の第４実施例を示した頂面図。
【図８】本考案に係る枕の第５実施例を示した頂面図。
【図９】先行技術に係る従来の枕を示した斜視図。
【図１０】図９における枕の使用状態を示した斜視図。
【符号の説明】
【００１５】
１０          枕
１１          本体
１２，１２’  コネクター
１３          ストラップ
１４          バックル
１６          ジッパー
１７          貫通孔
１９          通風装置
３０          内部空間
【図１】
0003126271.tif 000003
【図２】
0003126271.tif 000004
【図３】
0003126271.tif 000005
【図４】
0003126271.tif 000006
【図５】
0003126271.tif 000007
【図６】
0003126271.tif 000008
【図７】
0003126271.tif 000009
【図８】
0003126271.tif 000010
【図９】
0003126271.tif 000011
【図１０】
0003126271.tif 000012